(57)【要約】【課題】高い気密性能を確保することが可能な建具を提供する。【解決手段】矩形状に枠組みされて室内外を連通する開口を形成するとともに、室内側の領域と室外側の領域との間に前記開口の中央側に向かって四周にわたり突出した中央壁部を有する枠体、矩形状に枠組みされた框体を有し、前記室内側および前記室外側のうちの一方側の領域に固定される固定障子、および、矩形状に枠組みされた框体を有し、前記室内側および前記室外側のうちの他方側の領域にて当該枠体に沿って開閉移動可能に設けられる可動障子、を有し、前記固定障子の召合せ框は、前記可動障子が閉塞された状態で当該可動障子の召合せ框と対向して前記他方側に突出された召合せ面を有し、前記固定障子と前記中央壁部とが対面する部位に第１気密材が介在され、前記可動障子と前記中央壁部および前記固定障子の前記召合せ面とが対面する部位に第２気密材が介在されている。【選択図】図４
2010121342.tif 000002
【特許請求の範囲】
【請求項１】
矩形状に枠組みされて室内外を連通する開口を形成するとともに、室内側の領域と室外側の領域との間に前記開口の中央側に向かって四周にわたり突出した中央壁部を有する枠体、
矩形状に枠組みされた框体を有し、前記室内側および前記室外側のうちの一方側の領域に固定される固定障子、および、
矩形状に枠組みされた框体を有し、前記室内側および前記室外側のうちの他方側の領域にて当該枠体に沿って開閉移動可能に設けられる可動障子、を有し、
前記固定障子の召合せ框は、前記可動障子が閉塞された状態で当該可動障子の召合せ框と対向して前記他方側に突出された召合せ面を有し、
前記固定障子と前記中央壁部とが対面する部位に第１気密材が介在され、
前記可動障子と前記中央壁部および前記固定障子の前記召合せ面とが対面する部位に第２気密材が介在されていることを特徴とする建具。
【請求項２】
請求項１に記載の建具であって、
前記召合せ面は、前記中央壁部の前記他方側の面とともに平坦な面を形成していることを特徴とする建具。
【請求項３】
請求項１または請求項２に記載の建具であって、
前記第１気密材は、前記固定障子または前記中央壁部のいずれかのみに設けられていることを特徴とする建具。
【請求項４】
請求項１乃至請求項３のいずれかに記載の建具であって、
前記第２気密材は、前記可動障子、または、前記中央壁部および前記固定障子のいずれかのみに設けられていることを特徴とする建具。
【請求項５】
請求項１乃至請求項４のいずれかに記載の建具であって、
前記第１気密材は前記固定障子に設けられており、
前記中央壁部は、前記一方側の面と前記他方側の面とをつなぐ突出側端面を有しており、
前記固定障子は、前記第１気密材および前記突出側端面と当接する第３気密材が設けられていることを特徴とする建具。
【発明の詳細な説明】
【技術分野】
【０００１】
本発明は、室内外を連通する開口を形成する枠体に、見付け方向に沿って移動可能に設けられた障子を備えた建具に関する。
【背景技術】
【０００２】
従来、室内外を連通する開口を形成する枠体に、見付け方向に沿って移動可能に設けられた障子を備えた建具としては、例えば、開口を形成する窓枠に見付け方向に沿って移動可能な可動障子と移動不能に設けられた固定障子とを有する片引き戸が知られている。このような建具は、可動障子を閉めた際の気密性能を確保するために、窓枠を構成する上枠及び下枠にアタッチメントを設け、このアタッチメントに設けられた気密材を可動障子の上框及び下框に当接させて上框及び下框における気密性能を確保している。また、窓枠の見込み方向における中央部から開口の内側に向かって突出させた部位と固定障子の召合せ框に気密材を設けて、可動障子の戸先框及び召合せ框に当接させて可動障子を閉じた際の気密性能を確保している（例えば、特許文献１参照）。
【特許文献１】特許第２９８８８４０号明細書
【発明の開示】
【発明が解決しようとする課題】
【０００３】
しかしながら、上記従来の建具のように、可動障子のような１つの部材に当接される気密部材が、アタッチメント、固定障子の召合せ框、縦枠など異なる部材に設けられていると、取付面が相違するために、各々の加工精度、組み立て精度等により隣接する気密材の接合部にて気密性能を十分に確保することができない虞があるという課題があった。  
本発明は、かかる課題に鑑みてなされたものであり、その目的とするところは、高い気密性能を確保することが可能な建具を提供することにある。
【課題を解決するための手段】
【０００４】
かかる目的を達成するために本発明の建具は、矩形状に枠組みされて室内外を連通する開口を形成するとともに、室内側の領域と室外側の領域との間に前記開口の中央側に向かって四周にわたり突出した中央壁部を有する枠体、矩形状に枠組みされた框体を有し、前記室内側および前記室外側のうちの一方側の領域に固定される固定障子、および、矩形状に枠組みされた框体を有し、前記室内側および前記室外側のうちの他方側の領域にて当該枠体に沿って開閉移動可能に設けられる可動障子、を有し、前記固定障子の召合せ框は、前記可動障子が閉塞された状態で当該可動障子の召合せ框と対向して前記他方側に突出された召合せ面を有し、前記固定障子と前記中央壁部とが対面する部位に第１気密材が介在され、前記可動障子と前記中央壁部および前記固定障子の前記召合せ面とが対面する部位に第２気密材が介在されていることを特徴とする建具である。
【０００５】
このような建具によれば、固定障子の矩形状の框体と、枠体に設けられて四周にわたり突出した中央壁部とが対面する部位に気密材が介在されているので、固定障子の框体と中央壁部との間の気密性を確保することが可能である。
【０００６】
また、可動障子の矩形状の框体と、枠体に設けられて四周にわたり突出した中央壁部および前記固定障子の前記召合せ面とが対面する部位に気密材が介在されているので、可動障子の框体と、中央壁部及び固定障子の召合せ面との間の気密性を確保することが可能である。また、固定障子の召合せ面は室内側または室外側に突出しているので、突出していない場合よりも気密材が取り付け易く、かつ、当接させ易い。このため、高い気密性能を備えた建具を提供することが可能である。
【０００７】
かかる建具であって、前記召合せ面は、前記中央壁部の前記他方側の面とともに平坦な面を形成していることが望ましい。  
このような建具によれば、召合せ面と中央壁部の他方側の面とが繋がった平面となり、対向する可動障子の框体との間に介在される気密材がほぼ均等に当接されるように気密材を容易に取り付けることが可能であり、また、気密材のいずれの部位においても同様に当接させることが可能である。このため、より高い気密性能を備えた建具を提供することが可能である。
【０００８】
かかる建具であって、前記第１気密材は、前記固定障子または前記中央壁部のいずれかのみに設けられていることが望ましい。  
このような建具によれば、第１気密材が固定障子または中央壁部のいずれか一方のみに設けられているので、固定障子と中央壁部との間の気密ライン（第１気密材による気密ライン）を複雑な気密ラインにすることなく容易に形成でき、建具の気密性能をより向上させることが可能である。
【０００９】
かかる建具であって、前記第２気密材は、前記可動障子、または、前記中央壁部および前記固定障子のいずれかのみに設けられていることが望ましい。  
このような建具によれば、第２気密材が可動障子、または中央壁部および固定障子のいずれか一方のみに設けられているので、可動障子と中央壁部および固定障子との間の気密ライン（第２気密材による気密ライン）を複雑な気密ラインにすることなく容易に形成でき、建具の気密性能をより向上させることが可能である。
【００１０】
かかる建具であって、前記第１気密材は前記固定障子に設けられており、前記中央壁部は、前記一方側の面と前記他方側の面とをつなぐ突出側端面を有しており、前記固定障子は、前記第１気密材および前記突出側端面と当接する第３気密材が設けられていることが望ましい。  
このような建具によれば、第１気密材だけでなく、中央壁部の突出側端面と当接する第３気密材も固定障子側に設けるとともに、この固定障子側において第１気密材と第３気密材が当接している為、固定障子と中央壁部間の気密ライン（第１気密材と第３気密材とによる気密ライン）を固定障子側のみに設けられた気密材で構成できるので、気密性能をより向上させることが可能である。また、可動障子と対向する中央壁部と固定障子の召合せ面との境界部分に第３気密材が介在されているため、可動障子との間で構成する気密ライン（第２気密材による気密ライン）における気密性能をより向上させることが可能である。
【発明の効果】
【００１１】
本発明によれば、高い気密性能を確保することが可能な建具を提供することが可能である。
【発明を実施するための最良の形態】
【００１２】
以下、本発明の一実施形態に係る建具について図面を参照して説明する。
【００１３】
本実施形態の建具１は、室内外の境界となる壁等に設けられ、図１、図２に示すような、室内外を連通する開口を形成する枠体１０と、枠体１０内に固定され開口の一部を閉塞し、ガラス３が嵌め付けられて移動しない固定障子２０と、固定障子２０にて閉塞されない領域を閉塞可能であり、枠体１０に沿って移動可能な可動障子３０とを備えた建具１を例に挙げて説明する。以下の説明においては、建具１を室内側から見たときに上下となる方向を上下方向、左右となる方向を左右方向または見付け方向、室内外方向である奥行き方向を見込み方向として示す。
【００１４】
本実施形態の建具１は、室内側から見て開口の左側が固定障子２０にて閉塞され、右側が可動障子３０にて開閉可能に構成されている。
【００１５】
枠体１０は、室内外を仕切る壁（不図示）に設けられ、押し出し成形部材である上枠１２、下枠１３、左右の縦枠１４、１５が矩形状に枠組みされて構成されている。上枠１２、下枠１３、左右の縦枠１４、１５は、いずれも同一の断面形状をなす押し出し成形部材であり、４５度に切断された両端部が互いに突き合わされて矩形状に接合されている。
【００１６】
上枠１２、下枠１３、左右の縦枠１４、１５には、いずれも枠体１０にて形成される開口の中央側に向かって突出する中央壁部１１が設けられている。矩形状に接合された枠体１０は、中央壁部１１が全周に渡って繋がっており、中央壁部１１の室外に臨む室外面１１ａおよび中央壁部１１の室内に臨む室内面１１ｂはいずれも枠体１０の全周に繋がった平坦な面なしている。
【００１７】
建具１は、中央壁部１１より室外側の領域（室内側および室外側の内の一方側の領域）に固定障子２０が装着される装着部１７が設けられ、中央壁部１１より室内側の領域（室内側および室外側の内の他方側の領域）に可動障子３０が移動可能に取り付けられ、可動障子３０の框体３５が収容される収容凹部１６を有している。このため、中央壁部１１の室外面１１ａが固定障子２０の框体２５と対向し、中央壁部１１の室内面１１ｂが可動障子３０の框体３５と対向する。  
下枠１３の収容凹部１６には、可動障子３０を案内するためのレール部材１８が見付け方向の全域にわたって嵌合されている。
【００１８】
装着部１７は、室外面１１ａと繋がってほぼ直角をなすほぼ水平面を形成し、見込み方向におけるほぼ中央に見付け方向に沿って枠側溝部１７ａが形成されている。  
枠側溝部１７ａは、枠体１０が囲む開口の内側に向かって開放された溝部であり、固定障子２０の外周部に設けられた框側溝部２５ａに嵌合される固定部材５０により、固定障子２０が枠体１０の装着部１７に取り付けられている。
【００１９】
固定障子２０は、同一の断面形状をなす樹脂製の成形部材でなる上框２１、下框２２、戸先框２３、これらと断面形状が一部異なる樹脂製の成形部材でなる召合せ框２４、の各端部を４５度に切断して矩形状に接合した框体２５を有している。
【００２０】
上框２１、下框２２、戸先框２３は、図１〜図３に示すように、框体２５の外周側となる部位に枠体１０側に向かって開放された框側溝部２５ａを有している。また、框体２５の室内側面２５ｂとなる、上框２１、下框２２、戸先框２３の室内側面には、框体２５の外周側の縁より僅かに中央側に、各框２１、２２、２３の長手方向に沿って、室内側に開放された溝状の気密材取付部２１ａ、２２ａ、２３ａが設けられており、気密材取付部２１ａ、２２ａ、２３ａには、第１気密材を構成する毛状気密材５が設けられている。
【００２１】
毛状気密材５は、框の各端部を４５度に切断して矩形状に接合した框体２５の気密材取付部２１ａ、２２ａ、２３ａに挿入して取り付けられる。
【００２２】
召合せ框２４は、上下方向に連通する中空部を有し、上框２１、下框２２、戸先框２３の室内に臨む面と同じ平面を形成する框本体部２４ａを有している。また、召合せ框２４は、可動障子３０を閉めた際にも側面部２４ｂが露出されるため、意匠性を考慮して外周部となる側面部２４ｂには溝部は設けられておらず、上框２１、下框２２、戸先框２３において框側溝部２５ａが設けられている側面に相当する面は平坦に形成され、さらに側面部２４ｂは框本体部２４ａより室内側に延出された延出部２４ｃが設けられている。
【００２３】
延出部２４ｃは、側面部２４ｂから室内側に延出された側壁部２４ｄと、側壁部２４ｄの室内側の端部から固定障子２０が有する框体２５の中央側に向かって突出され、室内に臨み、可動障子３０が閉塞された際に可動障子３０の召合せ框と対向する召合せ面２４ｅを有する対向部２４ｆと、を有している。対向部２４ｆの召合せ面２４ｅは、中央壁部１１の室内面１１ｂとともに平坦な面を形成する位置に設けられ、上枠１２の中央壁部１１と下枠１３の中央壁部１１の近傍まで設けられている。
【００２４】
召合せ框２４の召合せ面２４ｅには、長手方向に沿って、室内側に開放された溝状の気密材取付部２４ｇが設けられており、気密材取付部２４ｇには、毛状気密材６が、召合せ面２４ｅにおける見付け方向の中央より框体２５の外周側に位置させて設けられている。
【００２５】
対向部２４ｆの上端部と下端部には框本体部２４ａと対向部２４ｆとの間に嵌合されて框本体部２４ａと対向部２４ｆとの間を覆うための第３気密材を構成する風止め部材９が設けられている。
【００２６】
中央壁部１１は、室外面１１ａの先端と室内面１１ｂの先端とをつなぐ突出側端面１１ｃを有しており、風止め部材９は突出側端面１１ｃに当接する構成となっている。
【００２７】
上框２１と召合せ框２４との接合部、および、下框２２と召合せ框のとの接合部は、上下が反転した対称形状なので、ここでは下框２２と召合せ框のとの接合部を例に挙げて横框２１、２２と召合せ框２４との接合部について説明する。
【００２８】
框本体部２４ａの室内側の面には、図５、図６に示すように、下框２２に設けられた毛状気密材５と下端側の風止め部材９との間に、毛状気密材５とともに第１気密材を構成する樹脂製の板状気密部材７が、下框２２の長手方向と交差する方向としての上下方向において下框２２の毛状気密材５と重なるように配置され、下端部が下框２２の毛状気密材５に当接させて設けられている。また、板状気密部材７の上端部は風止め部材９に当接されている。
【００２９】
板状気密部材７は、毛状気密材５の突出されている長さと同等に突出するような厚さに形成されており、枠体１０に固定障子２０が取り付けられた状態にて、中央壁部１１の室外面１１ａに当接されることで、框本体部２４ａの室内側の面と中央壁部１１の室外面１１ａとの間をタイトするように構成されている。尚、板状気密部材７を、毛状気密材５の突出されている長さより薄く形成してもよい。
【００３０】
このように固定障子２０の室内側は、上框２１、下框２２、戸先框２３にそれぞれ取り付けられた毛状気密材５と、召合せ框２４に取り付けられた毛状気密材６と、召合せ框２４の上下に設けられた風止め部材９と、上下の風止め部材９と上框２１の毛状気密材５および下框２２の毛状気密材５との間にそれぞれ設けられた板状気密部材７とにより、周方向に連続して気密材が設けられている。
【００３１】
そして、枠体１０に固定障子２０が装着されると、框体２５の平坦な室内側面２５ｂに連続して設けられた、上框２１、下框２２、および、戸先框２３の毛状気密材５と板状気密部材７とが、枠体１０の上枠１２、下枠１３、及び、左の縦枠１４に設けられた中央壁部１１の平坦な面でなる室外面１１ａに当接される。このとき、召合せ框２４の対向部２４ｆは、上枠１２の中央壁部１１と下枠１３の中央壁部１１との間に位置し、召合せ面２４ｅが枠体１０の中央壁部１１の室内面１１ｂと平坦な面を形成する。また、召合せ框２４の室内側に突出している延出部２４ｃ及び対向部２４ｆと上下枠１２、１３の中央壁部１１における突出側端面１１ｃとの間は、風止め部材９にて閉塞されている。
【００３２】
可動障子３０は上框３１、下框３２、戸先框３３及び召合せ框３４の接合部分（溶着部分のみ）が互いに同一の断面形状をなす樹脂製の成形部材であり、図１、図２、図４に示すように、各端部が４５度に切断されて矩形状に接合された框体３５を有している。
【００３３】
下框３２は、下枠１３に嵌合されたレール部材１８のレール１８ａが挿入され下方に開放された溝部３２ａを有し、戸先框３３は、可動障子３０を閉じた際に対向する枠体１０に設けられ可動障子３０の見込み方向の位置を規制するための部位が挿入され枠体１０側に開放された溝部３３ａを有している。
【００３４】
上框３１及び召合せ框３４には、下框３２及び戸先框３３のような溝部は設けられておらず、可動障子３０の框体３５の外周側となる部位は平坦に形成されており、長手方向と交差する方向の幅、すなわちガラス側の縁から外周側の縁までの幅が、下框３２及び戸先框３３より狭く形成されている。このため、上框３１、下框３２，戸先框３３、召合せ框３４の両端部を４５度に切断して突き合わせて接合すると、上框３１と召合せ框３４との接合部、及び、下框３２と戸先框３３との接合部は、一方の小口を他方の小口にて互いに覆うように接合されるが、上框３１と戸先框３３との接合部は、戸先框３３の溝部３３ａが上框３１の長手方向に突出し、下框３２と召合せ框３４との接合部は、下框３２の溝部３２ａが召合せ框３４の長手方向に突出した状態にて矩形状に接合されている。
【００３５】
召合せ框３４は、固定障子２０の召合せ框２４と同様に、上下方向に連通する中空部を有し、上框３１、下框３２、戸先框３３の室外に臨む面と同じ平面を形成する框本体部３４ａを有している。また、框体３５の外周側に相当する側面部３４ｂは框本体部３４ａより室外側に延出された延出部３４ｃが設けられている。
【００３６】
延出部３４ｃは、側面部３４ｂから室外側に延出された側壁部３４ｄと、側壁部３４ｄの室外側の端部から可動障子３０の框体３５の中央側に向かって突出されて固定障子２０の召合せ框２４と対向する対向部３４ｅと、を有している。対向部３４ｅは、上枠１２の中央壁部１１と下枠１３の中央壁部１１の近傍まで設けられ、可動障子３０を閉めた際に、固定障子２０の召合せ框２４の框本体部２４ａと対向部２４ｆとの間に入り込むように構成されている。
【００３７】
上框３１、下框３２、戸先框３３は、図１、図２及び図４に示すように、框体３５の室外側面３５ａとなる、上框３１、下框３２、戸先框３３の室外側面には、框体３５の外周側の縁より僅かに中央側に、各框３１、３２、３３の長手方向に沿って、室外側に開放された溝状の気密材取付部３１ａ、３２ｂ、３３ｂが設けられており、気密材取付部３１ａ、３２ｂ、３３ｂには、第２気密材を構成する毛状気密材８が設けられている。毛状気密材８は、框の各端部を４５度に切断して矩形状に接合した框体３５の気密材取付部３１ａ、３２ｂ、３３ｂに挿入して取り付けられる。
【００３８】
上框３１と戸先框３３とは、毛状気密材８が取り付けられている位置、すなわち框体３５の内周縁から等しい距離に取り付けられているが、戸先框３３は溝部３３ａを有しているので、上框３１に取り付けられた毛状気密材８の端部は戸先框３３に取り付けられた毛状気密材８と接触せず、上框３１の毛状気密材８の先端と戸先框３３の毛状気密材８とは上框３１の長手方向に間隔を隔てて配置される。このため、図４に示すように上框３１の毛状気密材８と戸先框３３の毛状気密材８との間には、上框３１の毛状気密材８とは上框３１の長手方向と交差する上下方向に重なるように当接させ、また、戸先框３３の毛状気密材８とは戸先框３３の長手方向と交差する見付け方向に重なるように当接させて、毛状気密材８とともに第２気密材を構成する樹脂製の板状気密部材１９が設けられている。
【００３９】
この板状気密部材１９は、毛状気密材８の突出されている長さと同等に突出するような厚さに形成されており、この板状気密部材１９と毛状気密材８とによって四周連続したタイトラインを構成している。そして、枠体１０に固定障子２０及び可動障子３０が取り付けられ、可動障子３０が閉められた状態にて、召合せ部分において板状気密部材１９と毛状気密材８とで構成されたタイトラインが、固定障子２０の召合せ面２４ｅ、風止め部材９、中央壁部１１の室内面１１ｂに当接されるように構成されている。可動障子３０には、３カ所に板状気密部材１９が設けられているが、いずれの板状気密部材１９も同様であるが、異なる形状、材質であってもよい。尚、板状気密部材１９を、毛状気密材８の突出されている長さより薄く形成してもよい。
【００４０】
召合せ框３４の框本体部３４ａにおける室外面には、長手方向に沿って、室外側に開放された溝状の気密材取付部３４ｆが設けられており、気密材取付部３４ｆには、第２気密材を構成する毛状気密材８が、框本体部３４ａにおいて見付け方向の中央より框体３５の外周側に位置させて設けられている。可動障子３０の召合せ框３４に設けられた毛状気密材８は、対向部３４ｅに向かって突出されており、可動障子３０を閉めた際には、可動障子３０の召合せ框３４の框本体部３４ａと対向部３４ｅとの間に入り込む固定障子２０の召合せ框２４の対向部２４ｆに先端側が接触する。
【００４１】
上框３１と召合せ框３４の接合されている部位は、同じ断面形状をなしているが、図４に示すように、上框３１の毛状気密材８が取り付けられている位置と、戸先框３３の毛状気密材８が取り付けられている位置とは、框体３５の内側縁からの距離が異なるため、召合せ框３４の毛状気密材８は上框３１の毛状気密材８と接触せず、召合せ框３４の毛状気密材８の先端と上框３１の毛状気密材８とは召合せ框３４の長手方向に間隔を隔てて配置される。このため、上框３１の毛状気密材８と召合せ框３４の毛状気密材８との間には、上框３１の毛状気密材８とは上框３１の長手方向と交差する上下方向に重なるように当接させ、また、召合せ框３４の毛状気密材８とは召合せ框３４の長手方向と交差する見付け方向に重なるように当接させて、毛状気密材８とともに第２気密材を構成する樹脂製の板状気密部材１９が設けられている。
【００４２】
下框３２と召合せ框３４の接合されている部位は、同じ断面形状をなしているが、図４、図５に示すように、戸先框３３は溝部３３ａを有しており、また、召合せ框３４に取り付けられた毛状気密材８の位置は、下框３２に取り付けられた毛状気密材８の位置より、框体３５の内周側に配置されているので、召合せ框３４の毛状気密材８は下框３２の毛状気密材８と接触せず、召合せ框３４の毛状気密材８の先端と下框３２の毛状気密材８とは召合せ框３４の長手方向に間隔を隔てて配置される。このため、下框３２の毛状気密材８と召合せ框３４の毛状気密材８との間には、図５、図６に示すように、下框３２の毛状気密材８とは下框３２の長手方向と交差する上下方向に重なるように当接させ、また、召合せ框３４の毛状気密材８とは召合せ框３４の長手方向と交差する見付け方向に重なるように当接させて、毛状気密材８とともに第２気密材を構成する樹脂製の板状気密部材１９が設けられている。
【００４３】
このように可動障子３０の室外側の面には、上框３１、下框３２、戸先框３３、召合せ框３４にそれぞれ取り付けられた毛状気密材８と、上框３１と戸先框３３との間、上框３１と召合せ框３４との間、下框３２と召合せ框３４との間、にそれぞれ設けられた板状気密部材１９とにより、周方向に連続して気密材が設けられている。
【００４４】
そして、固定障子２０が装着された枠体１０に可動障子３０が取り付けられて閉めた状態では、框体３５の平坦な室外側面３５ａに連続して設けられた上框３１、下框３２、戸先框３３、および、召合せ框３４の毛状気密材８と板状気密部材１９とが、枠体１０の上枠１２、下枠１３、及び、右の縦枠１５に設けられた中央壁部１１の平坦な面でなる室内面１１ｂに当接される。また、中央壁部１１の室内面１１ｂともに平坦な面を形成する固定障子２０の召合せ框２４が有する召合せ面２４ｅには、可動障子３０の召合せ框３４に設けられた毛状気密材８と板状気密部材１９とが当接される。このとき、固定障子２０の召合せ面２４ｅに設けられた毛状気密材６は、可動障子３０の上框３１、下框３２および召合せ框３４に当接される。
【００４５】
本実施形態の建具１によれば、室外側の領域に設けられた固定障子２０の矩形状の框体２５の室内側に臨む室内側面２５ｂに毛状気密材５および板状気密部材７を設けたので、毛状気密材５および板状気密部材７を、中央壁部１１の室外面１１ａに当接させることが可能である。このとき、固定障子２０の框体２５の室内側面２５ｂは見込み方向において同一位置で連続するようにして形成されている。このため、毛状気密材５および板状気密部材７を取り付ける面は互いに異なる框であっても連続した平坦な面なので、毛状気密材５および板状気密部材７を框体２５の室内側面２５ｂに容易に取り付けることが可能である。
【００４６】
また、室内側の領域に設けられた可動障子３０の矩形状の框体３５の室外側に臨む室外側面３５ａに、毛状気密材８および板状気密部材１９を設けたので、毛状気密材８および板状気密部材１９を、中央壁部１１の室内面１１ｂに当接させることが可能である。このとき、可動障子３０の框体３５の室外側面３５ａは見込み方向において同一位置で連続するようにして形成されている。このため、毛状気密材８および板状気密部材１９を取り付ける面は互いに異なる框であっても連続した平坦な面なので、毛状気密材８および板状気密部材１９を框体３５の室外側面３５ａに容易に取り付けることが可能である。
【００４７】
また、固定障子２０の召合せ面２４ｅは室内側に突出し、中央壁部１１の室内面１１ｂとともに平坦な面を形成しているので、召合せ面２４ｅと中央壁部１１の室内面１１ｂとが見込み方向において同一位置で連続した平面となり、対向する可動障子３０の毛状気密材８を均一に当接させることが可能であり、毛状気密材８のいずれの部位においても同様に当接させることが可能である。このため、より高い気密性能を備えた建具１を提供することが可能である。
【００４８】
また、毛状気密材５（第１気密材）および板状気密部材７（第１気密材）が固定障子２０側のみに設けられ、毛状気密材８（第２気密材）および板状気密部材１９（第２気密材）が可動障子３０側のみに設けられているので、固定障子２０と中央壁部１１との間の気密ライン（第１気密材による気密ライン）と、可動障子３０と中央壁部１１および固定障子２０との気密ライン（第２気密材による気密ライン）とを、複雑な気密ラインにすることなく容易に形成できるため、気密性能を向上することが可能になる。
【００４９】
また、固定障子２０には、板状気密部材７（第１気密材）および中央壁部１１の突出側端面１１ｃの両方に当接する風止め部材９（第３気密材）が設けられている。すなわち、固定障子２０と枠体１０との気密ラインを構成する気密部材（第１気密材としての毛状気密材５、板状気密部材７、第３気密材としての風止め部材９）が全て固定障子側に設けられている。したがって、固定障子２０と枠体１０との気密ラインを固定障子２０側のみに設けられた気密材で構成できるので、気密ラインの構成を複雑にする必要がなく容易に構成でき、気密性能をより向上させることが可能である。
【００５０】
また、可動障子３０と対向する中央壁部１１と固定障子２０の召合せ面２４ｅとの境界部分に風止め部材９が介在されているため、可動障子３０との間で構成する気密ライン（第２気密材による気密ライン）における気密性能をより向上させることが可能である。尚、風止め部材９はヒレ部を有しており、枠体１０と固定障子２０との出来寸（召合せ框２４の長手方向の寸法）を吸収し、枠体１０（上枠１２、下枠１３）と固定障子２０（召合せ框２４）との気密性を向上することができる。
【００５１】
上記実施形態においては、毛状気密材５、８および板状気密部材７、１９を固定障子２０および可動障子３０の框体２５、３５側に設け、中央壁部１１側に当接する例について説明したが、毛状気密材および板状気密部材を中央壁部側に設け、固定障子および可動障子の框体側に当接させる形態であっても構わない。この場合には、中央壁部１１の室外面１１ａが見込み方向において同一位置で連続するようにして形成されている。このため、毛状気密材５、８および板状気密部材７、１９を取り付ける面は互いに異なる枠であっても連続した平坦な面なので、毛状気密材５、８および板状気密部材７、１９を容易に取り付けることが可能である。
【００５２】
また、上記実施形態においては、板状気密部材７が、毛状気密材５の突出されている長さと同等に突出するような厚さに形成されており、また、板状気密部材１９が、毛状気密材８の突出されている長さと同等に突出するような厚さに形成されている例について説明したが、これに限るものではない。例えば、板状気密部材としてスポンジ等を用いた場合には、毛状気密材が突出している長さより板状気密部材の厚さを薄くして中央壁部等に当接されて圧縮される量が少なくなったとしても、気密性能を確保することが可能である。
【００５３】
また、上記実施形態においては、固定障子２０を室外側の領域に、可動障子３０を室内側の領域に設けているが、これに限ることなく、固定障子２０を室内側の領域（室内側および室外側の内の他方側の領域）に、可動障子３０を室外側の領域（室内側および室外側の内の一方側の領域）に設けてもよい。
【００５４】
また、上記実施形態においては、室内側から見て開口の左側が固定障子２０にて閉塞され、右側が可動障子３０にて開閉可能に構成されているが、これに限ることなく、右側を固定障子２０にて閉塞し左側を可動障子３０にて開閉可能に構成してもよく、また、開口の中央側を固定障子２０にて閉塞し、左右両側を可動障子３０にて開閉可能に構成（両袖片引き窓）しても構わない。
【００５５】
また、上記実施形態においては、可動障子が水平方向に可動するタイプの建具について説明したが、これに限ることなく、可動障子が上下方向に可動する上げ下げ窓タイプの建具であっても構わない。この場合、固定障子を室外側の上方に設け、可動障子を室内側の下方に設けてもよく、室内外の位置関係が逆のタイプ（つまり固定障子の方が室内側に位置）、上下の位置関係が逆のタイプ（つまり固定障子が下方に位置）、であってもよい。
【００５６】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００５７】
【図１】本実施形態に係る建具を縦断面図である。
【図２】本実施形態に係る建具の水平断面図である。
【図３】本実施形態に係る固定障子を室内側から見た斜視図である。
【図４】本実施形態に係る可動障子を室外側から見た斜視図である。
【図５】固定障子および可動障子の下框と召合せ框との接合部に取り付けられた気密材を説明するための図である。
【図６】固定障子および可動障子の召合せ部分示す水平断面図である。
【符号の説明】
【００５８】
１  建具、５  毛状気密材（第１気密材）、６  毛状気密材、
７  板状気密部材（第１気密材）、８  毛状気密材（第２気密材）、
９  風止め部材（第３気密材）、１０  枠体、１１  中央壁部、
１１ａ  室外面、１１ｂ  室内面、１１ｃ  突出側端面、
１９  板状気密部材（第２気密材）、２０  固定障子、
２４  召合せ框、２４ｅ  召合せ面、２５  框体、２５ｂ  室内側面、
３０  可動障子、３４  召合せ框、３５  框体、３５ａ  室外側面
【図１】
2010121342.tif 000003
【図２】
2010121342.tif 000004
【図３】
2010121342.tif 000005
【図４】
2010121342.tif 000006
【図５】
2010121342.tif 000007
【図６】
2010121342.tif 000008